(57)【要約】  発光装置は、光透過性を有する基体と、一方の面にのみ電極が形成され、基体に形成される導体層に、電極が接続される第１発光素子と、一方の面にのみ電極が形成され、基体に形成される導体層に、電極が接続され、第１発光素子からの光の色と異なる色の光を射出する第２発光素子と、基体に対して、発光素子を保持する樹脂層と、を備える。
2015146115.tif 000002
【特許請求の範囲】
【請求項１】
光透過性を有する基体と、
一方の面にのみ電極が形成され、前記基体に形成される導体層に、前記電極が接続される第１発光素子と、
一方の面にのみ電極が形成され、前記基体に形成される導体層に、前記電極が接続され、前記第１発光素子からの光の色と異なる色の光を射出する第２発光素子と、
前記基体に対して、前記発光素子を保持する樹脂層と、
を備える発光装置。
【請求項２】
一方の面にのみ電極が形成され、前記第１発光素子と前記第２発光素子のうちのいずれかと重なった状態で、前記基体に形成される導体層に接続され、前記第１発光素子の光の色と前記第２発光素子の光の色の双方と異なる色の光を射出する第３発光素子を備える請求項１に記載の発光装置。
【請求項３】
第１基体と、前記第１基体に対向するように配置される第２基体を備え、
前記第１発光素子の前記電極は、前記第１基体の導体層に接続され、
前記第２発光素子の前記電極は、前記第２基体の導体層に接続される請求項１に記載の発光装置。
【請求項４】
前記第１基体に対して、前記第１発光素子を保持する第１樹脂と、
前記第２基体に対して、前記第２発光素子を保持する第２樹脂と、
を有する請求項３に記載の発光装置。
【請求項５】
相互に重なるように配置される第１基体、第２基体、及び第３基体を備え、
前記第１発光素子の前記電極は、前記第１基体の導体層に接続され、
前記第２発光素子の前記電極は、前記第２基体の導体層に接続され、
前記第３発光素子の前記電極は、前記第３基体の導体層に接続される請求項２に記載の発光装置。
【請求項６】
前記第１基体に対して、前記第１発光素子を保持する第１樹脂と、
前記第２基体に対して、前記第２発光素子を保持する第２樹脂と、
前記第３基体に対して、前記第３発光素子を保持する第３樹脂と
を有する請求項５に記載の発光装置。
【請求項７】
前記基体は、一方の面に導体層が形成され、他方の面が平坦である請求項１乃至６に記載の発光装置。
【請求項８】
前記発光素子同士は、少なくとも一部が相互に重なっている請求項１乃至７のいずれか一項に記載の発光装置。
【請求項９】
前記第１発光素子は、ピーク波長が６００ｎｍから７００ｎｍの間にあり、
前記第２発光素子は、ピーク波長が５００ｎｍから５５０ｎｍの間にあり、
前記第３発光素子は、ピーク波長が４５０ｎｍから５００ｎｍの間にある請求項６に記載の発光装置。
【請求項１０】
前記発光素子それぞれは、独立して光度調整が可能である請求項１乃至９のいずれか一項に記載の発光装置。
【請求項１１】
前記基体それぞれには、複数の前記発光素子が接続され、隣接する前記発光素子の間の距離は１５００μｍ以下である請求項１乃至１０のいずれか一項に記載の発光装置。
【請求項１２】
前記発光素子からの光を拡散させる拡散手段を備える請求項１乃至１１のいずれか一項に記載の発光装置。
【請求項１３】
電力を供給するための第１電極を一つの面に有し、第１発光色で発光する第１発光素子と、
光透過性を有し、前記第１電極に電気的に接続する第１導体層が設けられ、前記第１発光素子に沿って湾曲的な形状である第１上部基体と、
前記第１上部基体に対して、前記第１発光素子本体を保持する第１絶縁樹脂層と、
略平坦で、前記第１絶縁樹脂層と前記第１発光素子とを支持し、光透過性を有する第１下部基体と、
電力を供給するための第２電極を一つの面に有し、第２発光色で発光し、前記第１発光素子と重なった状態で配置された第２発光素子と、
光透過性を有し、前記第２電極に電気的に接続する第２導体層が設けられ、前記第２発光素子に沿って湾曲的な形状である第２上部基体と、
前記第２上部基体に対して、前記第２発光素子本体を保持する第２絶縁樹脂層と、
前記第２絶縁樹脂層と前記第２発光素子本体を支持する、略平坦で、光透過性を有する第２下部基体と、
湾曲性を有する前記第２下部基体と略平坦な前記第２上部基体との間にある中間樹脂層と、
を備える発光装置。
【発明の詳細な説明】
【技術分野】
【０００１】
本発明の実施形態は、発光装置に関する。
【背景技術】
【０００２】
発光ダイオード（ＬＥＤ）を用いた発光装置は、屋内用、屋外用、定置用、移動用等の表示装置、表示用ランプ、各種スイッチ類、信号装置、一般照明等の光学装置に幅広く利用されている。【０００３】
ＬＥＤを用いて文字列、幾何学的な図形、模様等を表示する表示装置が知られている。この種の表示装置には、例えばＲＧＢ三原色の光の混色により、種々の色に発光するフルカラーＬＥＤユニットが用いられている。【０００４】
一般的なフルカラーＬＥＤユニットは、１つのパッケージの中に赤（Ｒ）、緑（Ｇ）、青（Ｂ）に発光するチップが内蔵されている。フルカラーＬＥＤユニットは、各チップから射出される光の強度の割合によって，白色や中間色などの種々の色に発光しているように見える。【０００５】
フルカラーＬＥＤユニットをＲＧＢ以外の所望の色に発光させるには、チップそれぞれの発光強度のバランスを調整する必要がある。このため、フルカラーＬＥＤユニットでは、所望の色に発光させるのが比較的難しく、優れた演色性の実現が困難であった。
【先行技術文献】
【特許文献】
【０００６】
【特許文献１】特開２０１２−０８４８５５号公報
【発明の概要】
【発明が解決しようとする課題】
【０００７】
本発明は、発光装置の演色性を向上させることを課題とする。
【課題を解決するための手段】
【０００８】
発光装置は、光透過性を有する基体と、一方の面にのみ電極が形成され、基体に形成される導体層に、電極が接続される第１発光素子と、一方の面にのみ電極が形成され、基体に形成される導体層に、電極が接続され、第１発光素子からの光の色と異なる色の光を射出する第２発光素子と、基体に対して、発光素子を保持する樹脂層と、を備える。
【図面の簡単な説明】
【０００９】
【図１】第１の実施形態に係る発光装置の概略構成を示す模式断面図である。
【図２】第１の実施形態に係る発光装置の平面図である。
【図３Ａ】第１の発光ユニットの平面図である。
【図３Ｂ】第２の発光ユニットの平面図である。
【図３Ｃ】第３の発光ユニットの平面図である。
【図４】発光ユニットの構成を示す断面図である。
【図５】発光ユニットの一部を拡大して示す断面図である。
【図６】発光素子の配置を示す図である。
【図７Ａ】制御装置の一制御例を示す図である。
【図７Ｂ】制御装置の一制御例を示す図である。
【図８】第２の実施形態に係る発光装置の概略構成を示す模式断面図である。
【発明を実施するための形態】
【００１０】
（第１の実施形態）
第１の実施形態に係る発光装置について、図面を参照して説明する。
【００１１】
図１は第１の実施形態に係る発光装置１の概略構成を示す断面図である。図１に示されるように、発光装置１は、中間樹脂４０を介して積層された発光ユニット１０，２０，３０を備えている。図１には示されていないが、発光ユニット１０は、赤色に発光する発光素子２２Ｒを有している。発光ユニット２０は、緑色に発光する発光素子２２Ｇを有している。発光ユニット３０は、青色に発光する発光素子２２Ｇを有している（図２，図３Ａ〜図３Ｃ参照）。
【００１２】
図４は、発光ユニット１０の構成を示す断面図である。また、図５は、図４に示す発光ユニット１０の一部を拡大して示す断面図である。
【００１３】
図４に示されるように、発光ユニット１０は、２つの支持基体４，６と、発光素子２２Ｒと、絶縁樹脂１３を有している。
【００１４】
支持基体４は、例えば絶縁性、透光性、及び屈曲性を有するシート状の樹脂材料からなる。樹脂材料としては、ポリエチレンテレフタレート（ＰＥＴ）、ポリエチレンナフタレート（ＰＥＮ）、ポリカーボネート（ＰＣ）、ポリエチレンサクシネート（ＰＥＳ）、環状オレフィン樹脂（例えばＪＳＲ社製のアートン（商品名））、アクリル樹脂等が挙げられる。支持基体４の全光透過率は９０％以上であることが好ましく、さらに９５％以上であることがより好ましい。なお、全光透過率は、例えば、ＪＩＳ  Ｋ７１０５で規定されている。支持基体４，６の厚さは、例えば５０〜３００μｍの範囲であることが好ましい。支持基体４，６が厚すぎると、屈曲性、透光性が低下するおそれがあるからである。
【００１５】
導電回路層５は、支持基体４の下面に導体層として形成されている。導電回路層５は、例えば、メッシュ状に整形されることによって透過率が高められた導体パターンや、酸化インジウムスズ（ＩＴＯ）、フッ素ドープ酸化スズ（ＦＴＯ）、酸化亜鉛、酸化インジウム亜鉛（ＩＺＯ）等の透明導電材料から構成される。導電回路層５の透過率は、９０％以上であることが好ましい。導電回路層５は、図３Ａに示されるように、相互に絶縁された８つのパターン５ａ〜５ｈを少なくとも有している。
【００１６】
導電回路層５は、例えば、スパッタ法や電子ビーム蒸着法等を適用して薄膜を形成し、レーザ加工やエッチング処理により薄膜をパターニングすることにより形成することができる。導電回路層５は、発光装置１全体としての全光透過率が９０％以上となるような透光性を有していることが好ましい。
【００１７】
また、導電回路層５は、例えば平均粒子径が１０〜１００ｎｍの範囲の透明導電材料の微粒子と透明樹脂バインダとの混合物をスクリーン印刷等で回路形状に塗布したものや、上記混合物の塗布膜にレーザ加工やフォトリソグラフィによるパターニング処理を施して回路を形成したものであってもよい。
【００１８】
図４に示されるように、支持基体６は、支持基体４と導電回路層５に対向するように配置されている。支持基体６は、支持基体４と同等の構成であるが、支持基体６には、導電回路層が形成されていない。
【００１９】
発光素子２２Ｒは、表裏面が赤色に発光する発光素子である。発光素子２２Ｒは、支持基体４と支持基体６の間に配置されている。発光素子２２Ｒは、図５に示されるように、発光素子本体２７と、電極２８，２９とを備えている。発光ユニット１０は、図３Ａに示されるように１４個の発光素子２２Ｒを有している。また、発光素子２２Ｒは、図４に示されるように、隣接する発光素子２２Ｒ同士の間隔ｄが１５００μｍ以下になるように、配置されている。なお、発光ユニット１０の発光素子２２Ｒの数は、発光装置１の仕様（例えば、外形寸法、発光面積など）に応じて、適宜、決定することができる。
【００２０】
発光素子本体２７は、図５に示されるように、例えば透明なサファイア基板からなる絶縁基板２３と、絶縁基板２３の上面に順番に形成されたＮ型半導体層（例えばｎ−ＧａＮ層）２４、活性層（例えばＩｎＧａＮ層）２５、およびＰ型半導体層（例えばｐ−ＧａＮ層）２６を備えている。なお、Ｎ型半導体層とＰ型半導体層の配置位置は、逆であってもよい。
【００２１】
電極２８，２９は、Ａｕ（金）を含んだ合金を材料とするパッド電極である。Ｎ型半導体層２４は、電極２９を介して導電回路層５に接続され、Ｐ型半導体層２６は、電極２８を介して導電回路層５に接続される。図６は、一例として、パターン５ａとパターン５ｂの間に配置された発光素子２２Ｒを示す図である。図６に示されるように、発光素子２２Ｒは、隣接するパターン５ａとパターン５ｂの間に位置決めされ、電極２９がパターン５ａに接続され、電極２８がパターン５ｂに接続されている。
【００２２】
図３Ａに示されるように、上述した要領で、パターン５ａとパターン５ｂの間には１組（２つ）の発光素子２２Ｒが配置されている。同様に、パターン５ｂとパターン５ｃの間、パターン５ｃとパターン５ｄの間、パターン５ｄとパターン５ｅの間、パターン５ｅとパターン５ｆの間、パターン５ｆとパターン５ｇの間にもそれぞれ１組の発光素子２２Ｒが配置されている。このため、発光ユニット１０では、パターン５ａ〜５ｈと７組の発光素子２２Ｒが直列に接続された状態になっている。また、１組の発光素子２２Ｒは並列に接続された状態になっている。
【００２３】
図３Ａに示されるように、発光ユニット１０には、端子１０１，１０２が設けられている。端子１０１は、導電回路層５を構成するパターン５ａに接続されている。また、端子１０２は、パターン５ｈに接続されている。このため、端子１０１と端子１０２に直流電圧が印加されることにより、直列に接続された７組の発光素子２２Ｒが点灯する。発光ユニット１０では、７組の発光素子２２Ｒが直列に接続されているため、１組の発光素子２２Ｒに流れる電流がほぼ等しくなる。これにより、１４の発光素子２２Ｒそれぞれの発光強度がほぼ等しくなる。
【００２４】
図４に示されるように、絶縁樹脂１３は、支持基体４と支持基体６の間の空間に充填されている。絶縁樹脂１３は、エラストマーを主成分とする材料からなることが好ましい。また必要に応じて他の樹脂成分等を含んでいてもよい。エラストマーとしては、アクリル系エラストマー、オレフィン系エラストマー、スチレン系エラストマー、エステル系エラストマー、ウレタン系エラストマー等が知られている。これらのうち、上述した特性を満足するアクリル系エラストマーは、透光性、電気絶縁性、屈曲性等に加えて、軟化時の流動性、硬化後の接着性、耐候性等に優れることから、絶縁樹脂１３の構成材料として好適である。
【００２５】
絶縁樹脂１３は、所定のビカット軟化温度、引張貯蔵弾性率、融解温度等の特性を満足する透光性絶縁樹脂、特にエラストマーで構成されていることが好ましい。
【００２６】
絶縁樹脂１３は、電極２８、２９の周囲、具体的には、導電回路層５とＮ型半導体層２４の間の空間と、導電回路層５とＰ型半導体層２６との間の空間にも充填された状態になっている。
【００２７】
図５に示されるように、絶縁樹脂１３の厚さは、発光素子本体２７と電極２８，２９を合わせた高さＴ１と同等かそれ以下となっている。絶縁樹脂１３と支持基体４は、発光素子２２Ｒの間が下方に向かって窪んだ形状になっている。このため、支持基体４は、導電回路層５を発光素子２２Ｒの電極２８、２９に押し付けた状態になっている。これによって、導電回路層５と発光素子２２Ｒの電極２８、２９との電気的な接続性や、信頼性が高められている。
【００２８】
図３Ｂは発光ユニット２０の平面図である。図３Ｂに示されるように、発光ユニット２０も発光ユニット１０と同様に、パターン５ａ〜５ｈから構成される導電回路層５と、表裏面が緑色に発光する１４の発光素子２２Ｇと、導電回路層５のパターン５ａ，５ｈにそれぞれ接続される端子２０１，２０２を有している。
【００２９】
図３Ｃは発光ユニット３０の平面図である。図３Ｃに示されるように、発光ユニット３０も発光ユニット１０，２０と同様に、パターン５ａ〜５ｈから構成される導電回路層５と、表裏面が青色に発光する１４の発光素子２２Ｂと、導電回路層５のパターン５ａ，５ｈにそれぞれ接続される端子３０１，３０２を有している。
【００３０】
例えば、発光ユニット１０の発光素子２２Ｒは、２０℃環境下化での直流点灯順電流２０ｍＡでの相対光強度のピーク波長が６００ｎｍから７００ｎｍの間にあり、赤色に発光する。発光ユニット２０の発光素子２２Ｇは、２０℃環境下化での直流点灯順電流２０ｍＡでの相対光強度のピーク波長が５００ｎｍから５５０ｎｍの間にあり、緑色に発光する。発光ユニット３０の発光素子２２Ｂは、２０℃環境下化での直流点灯順電流２０ｍＡでの相対光強度のピーク波長が４５０ｎｍから５００ｎｍの間にあり、青色に発光する。
【００３１】
図１に示されるように、発光装置１は、発光ユニット１０、発光ユニット２０及び発光ユニット３０が中間樹脂４０を介して、積層されることにより形成される。発光ユニット１０〜３０が積層されたときには、図２に示されるように、発光ユニット１０の発光素子２２Ｒ、発光ユニット２０の発光素子２２Ｇ、発光ユニット３０の発光素子２２Ｂが重なった状態となる。一方、発光ユニット１０〜３０の各端子１０１，１０２，２０１，２０２，３０１，３０２は、重なることなく、相互にオフセットした状態となる。
【００３２】
中間樹脂４０は、熱可塑性の透光性絶縁体であり、発光ユニット１０と発光ユニット２０との間、発光ユニット２０と発光ユニット３０との間に充填されている。
【００３３】
中間樹脂４０には、発光ユニット１０〜３０を湾曲可能とするために、例えば絶縁性、透光性、及び屈曲性とを有するシート状の樹脂材料が用いられる。樹脂材料としては、ポリエチレンテレフタレート（ＰＥＴ）、ポリエチレンナフタレート（ＰＥＮ）、ポリカーボネート（ＰＣ）、ポリエチレンサクシネート（ＰＥＳ）、環状オレフィン樹脂（例えばＪＳＲ社製のアートン（商品名））、アクリル樹脂等が挙げられる。中間樹脂４０の全光透過率は９０％以上であることが好ましく、さらに９５％以上であることがより好ましい。
【００３４】
中間樹脂４０の厚さは、例えば５０〜３００μｍの範囲であることが好ましい。中間樹脂４０が厚すぎると、発光ユニット１０〜３０の屈曲性、透光性が低下するおそれがあるからである。
【００３５】
発光ユニット１０〜３０の端子１０１，１０２，２０１，２０２，３０１，３０２には、制御装置５０が接続される。
【００３６】
制御装置５０は、各発光ユニット１０，２０，３０の光度調整、すなわち発光を制御する。図７Ａ及び図７Ｂは、制御装置５０の一制御例を示す図である。制御装置５０は、例えば発光ユニット１０、発光ユニット２０及び発光ユニット３０に対応したトリマコンデンサ５１，５２，５３を備える。トリマコンデンサ５１，５２，５３で発光ユニット１０、発光ユニット２０及び発光ユニット３０に付加される電圧を調整することにより、各発光ユニット１０〜３０の光度が変化する。例えば、図７Ａに示す制御では、発光装置は、次第に明るくなるように制御される。一方、図７Ｂに示す制御では、発光装置は、次第に明るくなるように制御される。
【００３７】
以上説明したように、図１に示されるように本実施形態に係る発光装置１は、相互に重なる３つの発光ユニット１０，２０，３０から構成されている。そして、図２に示されるように、発光ユニット１０の発光素子２２Ｒ、発光ユニット２０の発光素子２２Ｇ、発光ユニット３０の発光素子２２Ｂが重なった状態になっている。これにより、発光素子２２Ｒ，２２Ｇ，２２Ｂから射出された光を効率よく混色させることができる。したがって、発光装置１を、例えば白色や中間色など、赤（Ｒ）、緑（Ｇ）、青（Ｂ）以外の色に演色性よく発光させることが可能となる。
【００３８】
本実施形態に係る発光素子２２Ｒ，２２Ｇ，２２Ｂは、一方の面にのみ電極２８，２９が形成されている。このため、導電回路層５を、発光素子２２Ｒ，２２Ｇ，２２Ｂの一方の面側に設ければよい。したがって、発光素子２２Ｒ，２２Ｇ，２２Ｂの双方の面側に導電回路層５を設ける場合に比較して、発光ユニット２０〜３０の透明度、ひいては発光装置１の透明度を高くすることができる。
【００３９】
本実施形態に係る発光装置１では、各発光ユニット１０，２０，３０に対して、独立して光度調整が可能となっている。したがって、発光装置１を所望の色に発光させることができる。
【００４０】
なお、上述した支持基体４，６の表面は、平坦であることが好ましい。これにより、発光ユニット１０〜３０、ひいては、発光装置１の屈曲性を向上させることができる。
【００４１】
（第２の実施形態）
次に、第２の実施形態に係る発光装置１００について説明する。図８は、第２の実施形態に係る発光装置１００の要部を示す断面図である。
【００４２】
第１の実施形態に係る発光装置１は、構成部材が全て透明のものとなっている。それぞれの発光ユニット１０，２０，３０から射出されるが適切に拡散しない場合や、拡散にバラツキがある場合には、光が横方向に導波するためＲＧＢ各色の混色がうまくいかないことになる。そこで、図８に示されるように、第２の実施形態に係る発光装置は、第１の実施形態に係る発光装置１の構成における中間樹脂４０に代えて、拡散体６０を備える。
【００４３】
拡散体６０は、発光ユニット１０の上面側と、発光ユニット１０と発光ユニット２０の間と、発光ユニット２０と発光ユニット３０の間と、発光ユニット３０の下面側に配置されている。
【００４４】
拡散体６０としては、例えば半透明のテープや紙を用いることができる。拡散体６０は、接着材などによって発光ユニットに貼り付けられる。
【００４５】
第２の実施形態によれば、各発光ユニット１０，２０，３０からの光が拡散するので、ＲＧＢ各色の光の混色が促進される。
【００４６】
以上、本発明の実施形態について説明したが、本発明は上記実施形態によって限定されるものではない。例えば、上記実施形態では、発光ユニット１０，２０，３０それぞれの発光素子２２Ｒ，２２Ｇ，２２Ｂが完全に重なっている場合について説明した。これに限らず、発光素子２２Ｒ，２２Ｇ，２２Ｂは、相互に近接配置されていれば、重なっていなくてもよいし、少なくとも一部が重なっていればよい。
【００４７】
要するに、発光装置１に用いられる発光素子２２Ｒ，２２Ｇ，２２Ｂの大きさが、人間の目の最小分離閾より小さい場合には、発光素子２２Ｒ，２２Ｇ，２２Ｂが、近接配置されるか、或いは少なくとも一部が重なっており、同一発光源として認識される状態になっていればよい。
【００４８】
上記実施形態では、発光装置１が、１組の支持基体４，６を備える発光ユニット１０，２０，３０から形成されている場合について説明した。これに限らず、発光装置１は、例えば１つの支持基体４と、支持基体４に形成される導電回路層５に接続される発光素子２２Ｒ，２２Ｇ，２２Ｂと、発光素子２２Ｒ，２２Ｇ，２２Ｂを支持基体４に対して保持する絶縁樹脂１３から構成されていてもよい。
【００４９】
また、発光装置１は、２つの支持基体４，６と、支持基体４に形成される導電回路層５に接続される発光素子２２Ｒ，２２Ｇ，２２Ｂと、２つの支持基体４，６との間に充填され、発光素子２２Ｒ，２２Ｇ，２２Ｂを支持基体４，６に対して保持する絶縁樹脂１３から構成されていてもよい。
【００５０】
上記実施形態では、発光装置１が、赤（Ｒ）、緑（Ｇ）、青（Ｂ）に発光する発光素子を備えている場合について説明した。これに限らず、発光装置は、少なくとも異なる色に発光する２種類の発光素子を備えていればよい。
【００５１】
上記実施形態では、図１に示されるように、３つの発光ユニット１０，２０，３０は、発光ユニット１０の支持基体６と発光ユニット２０の支持基体４が接着され、発光ユニット２０の支持基体６と発光ユニット３０の支持基体４が接着されることにより一体化されている。これに限らず、発光ユニット１０の支持基体６と発光ユニット２０の支持基体４を、１つの支持基体から構成してもよい。同様に、発光ユニット２０の支持基体６と発光ユニット３０の支持基体４を、１つの支持基体から構成してもよい。
【００５２】
上記実施形態に係る発光装置１では、図１に示されるように、一番上に発光ユニット１０が配置され、その下に発光ユニット２０が配置され、その下に発光ユニット３０が配置されている。これに限らず、発光ユニット１０〜３０の配置順序は適宜変更することができる。また、発光装置１は、３つの発光ユニット１０〜３０のうちのいずれか２つの発光ユニットから構成されていてもよい。また、４つ以上の発光ユニットから構成されていてもよい。
【００５３】
上記第２の実施形態では、発光ユニットの表面に、拡散体６０を設けた。拡散手段としては、種々の形態のものを用いることができる。例えば、発光ユニット１０，２０，３０の絶縁樹脂１３に、微粒子フィラーを混ぜて白濁樹脂とし、これを拡散体としてもよい。
【００５４】
また、中間樹脂４０に、微粒子フィラーを混ぜて白濁樹脂とするとともに、発光ユニット１０の上面と、発光ユニット３０の下面にも同じ白濁樹脂を塗布して、これらの白濁樹脂を拡散体としてもよい。
【００５５】
また、透過率が１０〜９０％、ヘイズ値が１０〜９０％の塩化ビニルなどを、拡散体６０として用いることとしてもよい。
【００５６】
また、発光ユニット１０，２０，３０の支持基体４，６を拡散体６０として用いてもよい。具体的には、透過率が１０〜９０％、ヘイズ値が１０〜９０％となるように支持基体４，６の表面に凹凸をつけたり、透過率が１０〜９０％、ヘイズ値が１０〜９０％の塩化ビニル等から支持基体４，６を構成してもよい。また、単に支持基体４，６の表面に直線又は格子状の傷をつけるようにしても良い。
【００５７】
その他、発光装置１の両面に、別途、拡散素材を貼り付けてもよい。
【００５８】
なお、本発明のいくつかの実施形態を説明したが、これらの実施形態は例として提示したものであり、発明の範囲を限定することは意図していない。これら新規な実施形態は、その他の様々な形態で実施し得るものであり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５９】
１，１００  発光装置
４，６  支持基体
５  導電回路層
５ａ〜５ｈ  パターン
１０〜３０  発光ユニット
１３  絶縁樹脂
２２Ｂ  発光素子
２２Ｇ  発光素子
２２Ｒ  発光素子
２３  絶縁基板
２４  Ｎ型半導体層
２５  活性層
２６  Ｐ型半導体層
２７  発光素子本体
２８，２９  電極
４０  中間樹脂
５０  制御装置
６０  拡散体
１０１，１０２，２０１，２０２，３０１，３０２  端子
【図１】
2015146115.tif 000003
【図２】
2015146115.tif 000004
【図３Ａ】
2015146115.tif 000005
【図３Ｂ】
2015146115.tif 000006
【図３Ｃ】
2015146115.tif 000007
【図４】
2015146115.tif 000008
【図５】
2015146115.tif 000009
【図６】
2015146115.tif 000010
【図７Ａ】
2015146115.tif 000011
【図７Ｂ】
2015146115.tif 000012
【図８】
2015146115.tif 000013
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
光透過性を有する基体と、
一方の面にのみ電極が形成され、前記基体に形成される導体層に、前記電極が接続される第１発光素子と、
一方の面にのみ電極が形成され、前記基体に形成される導体層に、前記電極が接続され、前記第１発光素子からの光の色と異なる色の光を射出する第２発光素子と、
前記基体に対して、前記発光素子を保持する樹脂層と、
を備える発光装置。
【請求項２】
一方の面にのみ電極が形成され、前記第１発光素子と前記第２発光素子のうちのいずれかと重なった状態で、前記基体に形成される導体層に接続され、前記第１発光素子の光の色と前記第２発光素子の光の色の双方と異なる色の光を射出する第３発光素子を備える請求項１に記載の発光装置。
【請求項３】
第１基体と、前記第１基体に対向するように配置される第２基体を備え、
前記第１発光素子の前記電極は、前記第１基体の導体層に接続され、
前記第２発光素子の前記電極は、前記第２基体の導体層に接続される請求項１に記載の発光装置。
【請求項４】
前記第１基体に対して、前記第１発光素子を保持する第１樹脂と、
前記第２基体に対して、前記第２発光素子を保持する第２樹脂と、
を有する請求項３に記載の発光装置。
【請求項５】
相互に重なるように配置される第１基体、第２基体、及び第３基体を備え、
前記第１発光素子の前記電極は、前記第１基体の導体層に接続され、
前記第２発光素子の前記電極は、前記第２基体の導体層に接続され、
前記第３発光素子の前記電極は、前記第３基体の導体層に接続される請求項２に記載の発光装置。
【請求項６】
前記第１基体に対して、前記第１発光素子を保持する第１樹脂と、
前記第２基体に対して、前記第２発光素子を保持する第２樹脂と、
前記第３基体に対して、前記第３発光素子を保持する第３樹脂と
を有する請求項５に記載の発光装置。
【請求項７】
前記基体は、一方の面に導体層が形成され、他方の面が平坦である請求項１乃至６に記載の発光装置。
【請求項８】
前記発光素子同士は、少なくとも一部が相互に重なっている請求項１乃至７のいずれか一項に記載の発光装置。
【請求項９】
前記第１発光素子は、ピーク波長が６００ｎｍから７００ｎｍの間にあり、
前記第２発光素子は、ピーク波長が５００ｎｍから５５０ｎｍの間にあり、
前記第３発光素子は、ピーク波長が４５０ｎｍから５００ｎｍの間にある請求項６に記載の発光装置。
【請求項１０】
前記発光素子それぞれは、独立して光度調整が可能である請求項１乃至９のいずれか一項に記載の発光装置。
【請求項１１】
前記基体それぞれには、複数の前記発光素子が接続され、隣接する前記発光素子の間の距離は１５００μｍ以下である請求項１乃至１０のいずれか一項に記載の発光装置。
【請求項１２】
前記発光素子からの光を拡散させる拡散手段を備える請求項１乃至１１のいずれか一項に記載の発光装置。
【請求項１３】
電力を供給するための第１電極を一つの面に有し、第１発光色で発光する第１発光素子と、
光透過性を有し、前記第１電極に電気的に接続する第１導体層が設けられ、前記第１発光素子に沿って湾曲的な形状である第１上部基体と、
前記第１上部基体に対して、前記第１発光素子本体を保持する第１絶縁樹脂層と、
略平坦で、前記第１絶縁樹脂層と前記第１発光素子とを支持し、光透過性を有する第１下部基体と、
電力を供給するための第２電極を一つの面に有し、第２発光色で発光し、前記第１発光素子と重なった状態で配置された第２発光素子と、
光透過性を有し、前記第２電極に電気的に接続する第２導体層が設けられ、前記第２発光素子に沿って湾曲的な形状である第２上部基体と、
前記基第２上部基体に対して、前記第２発光素子本体を保持する第２絶縁樹脂層と、
前記第２絶縁樹脂層と前記第２発光素子本体を支持する、略平坦で、光透過性を有する第２下部基体と、
湾曲性を有する前記第２上部基体と略平坦な前記第１下部基体との間にある中間樹脂層と、
を備える発光装置。
【請求項１４】
電力を供給するための第１電極を一つの面に有し、第１発光色で発光する第１発光素子）と、
光透過性を有し、前記第１電極に電気的に接続する第１導体層が設けられ、前記第１発光素子に沿って湾曲的な形状である第１上部基体と、
前記第１上部基体に対して、前記第１発光素子本体を保持する第１絶縁樹脂層と、
前記第１絶縁樹脂層と前記第１発光素子とを支持し、光透過性を有する第１下部基体と、
電力を供給するための第２電極を一つの面に有し、第２発光色で発光し、前記第１発光素子と重なった状態で配置された第２発光素子と、
光透過性を有し、前記第２電極に電気的に接続する第２導体層が設けられ、前記第２発光素子に沿って湾曲的な形状である第２上部基体と、
前記基第２上部基体に対して、前記第２発光素子本体を保持する第２絶縁樹脂層と、
前記第２絶縁樹脂層と前記第２発光素子本体を支持する、光透過性を有する第２下部基体と、
湾曲性を有する前記第２上部基体と前記第１下部基体との間にある中間樹脂層と、
を備える発光装置。
【請求項１５】
前記樹脂層の厚さは、前記発光素子の前記電極を含めた厚さ以下である請求項１乃至１２のいずれか一項に記載の発光装置。
【請求項１６】
前記基体は、前記発光素子を覆うように湾曲し、前記導体層を、前記発光素子の前記電極に押し付けている請求項１乃至１２のいずれか一項に記載の発光装置。
【国際調査報告】
2015146115.tif 000014
2015146115.tif 000015